(57)【特許請求の範囲】
【請求項１】
出発地から目的地までの経路を案内する経路案内装置であって、
ユーザーの移動体の運転技術の熟練度を含むユーザーレベル情報を取得するレベル取得手段と、
前記ユーザーレベル情報に応じて、前記経路の案内情報を報知する報知手段と、
前記経路において、前記案内情報を報知させる複数の案内報知地点を設定する案内出力手段と、を備え、
前記案内出力手段は、前記熟練度が所定値以下である場合に、前記案内報知地点間の距離が所定距離以上となる道なり区間を検出し、前記道なり区間の距離に応じた数で、前記道なり区間を分割した地点を、情報提供地点として設定し、
前記報知手段は、前記熟練度が前記所定値以下である場合に、前記案内報知地点と前記情報提供地点とで前記案内情報を報知し、前記熟練度が前記所定値より高い場合に、前記案内報知地点で前記案内情報を報知する
ことを特徴とする経路案内装置。
【請求項２】
出発地から目的地までの経路を案内する経路案内装置であって、
前記出発地から前記目的地までの前記経路を探索する探索手段と、
前記経路に関する経路関連情報を取得する経路関連情報取得手段と、
ユーザーの移動体の運転技術の熟練度を含むユーザーレベル情報を取得するレベル取得手段と、
前記ユーザーレベル情報に応じて、前記経路の案内情報を報知する報知手段と、を備え、
前記経路関連情報取得手段は、所定の情報配信局から配信される道路交通情報を一般交通情報として取得し、地点に関する情報が投稿される情報投稿サイトの投稿内容を解析して、前記投稿内容に走行時の注意事項を示す交通状況キーワードが含まれる場合に、当該投稿内容を上級交通情報として取得し、
前記報知手段は、前記熟練度が所定値以下である場合に、前記一般交通情報を報知し、前記熟練度が前記所定値より高い場合に、前記一般交通情報と前記上級交通情報とを報知する
ことを特徴とする経路案内装置。
【請求項３】
出発地から目的地までの経路を案内する経路案内装置であって、
前記出発地から前記目的地までの前記経路を探索する探索手段と、
天候情報を取得する天候取得手段と、
ユーザーの移動体の運転技術の熟練度を含むユーザーレベル情報を取得するレベル取得手段と、
前記ユーザーレベル情報に応じて、前記経路の案内情報を報知する報知手段と、を備え、
前記探索手段は、前記熟練度が所定値以下である場合で、前記目的地の天候が好転する場合に、降雨量が少なく、かつ、前記目的地への到着時間を前記天候の好転時間に合わせた前記経路を探索し、
前記報知手段は、前記ユーザーレベル情報に応じて前記天候情報を報知する
ことを特徴とする経路案内装置。
【請求項４】
請求項１から請求項３のいずれか一項に記載の経路案内装置において、
前記報知手段は、前記ユーザーレベル情報に応じたタイミングにて前記案内情報を報知する
ことを特徴とする経路案内装置。
【請求項５】
請求項１から請求項４のいずれか一項に記載の経路案内装置において、
前記出発地から前記目的地までの前記経路を探索する探索手段を備え、
前記探索手段は、前記熟練度に応じて前記経路を探索する
ことを特徴とする経路案内装置。
【請求項６】
請求項５に記載の経路案内装置において、
前記目的地の駐車場に関する駐車場情報を取得する駐車場情報取得手段を有し、
前記報知手段は、前記熟練度に応じて前記駐車場情報を報知する
ことを特徴とする経路案内装置。
【請求項７】
請求項６に記載の経路案内装置において、
前記駐車場情報は、前記駐車場内への入場経路を含む入口情報を含み、
前記探索手段は、前記入口情報に基づいて、現在位置から入口までの経路を探索する
ことを特徴とする経路案内装置。
【請求項８】
請求項６又は請求項７に記載の経路案内装置において、
前記駐車場情報は、前記駐車場内の構造を示す敷地内情報を含み、
前記報知手段は、前記敷地内情報に基づいて前記駐車場の敷地内の経路を報知する
ことを特徴とする経路案内装置。
【請求項９】
請求項８に記載の経路案内装置において、
前記駐車場情報は、前記駐車場内における駐車スペースの空きを示すスペース情報を含み、
前記報知手段は、前記駐車場の入口から前記ユーザーレベル情報に応じた前記駐車スペースを案内する
ことを特徴とする経路案内装置。
【請求項１０】
請求項９に記載の経路案内装置において、
前記移動体の現在位置を取得する現在位置取得手段を備え、
前記駐車場情報取得手段は、前記現在位置が前記目的地から所定の距離範囲内に到達し
た際に、前記スペース情報を含む前記駐車場情報を取得する
ことを特徴とする経路案内装置。
【請求項１１】
請求項１から請求項１０のいずれか一項に記載の経路案内装置と、
前記経路案内装置から前記ユーザーレベル情報に応じた前記案内情報を取得する端末装置と、
を備えることを特徴とする経路案内システム。
【請求項１２】
コンピューターにより出発地から目的地までの経路を表示させる経路案内方法であって、
前記コンピューターは、レベル取得手段、報知手段、及び案内出力手段を備え、
前記レベル取得手段が、ユーザーの移動体の運転技術の熟練度を含むユーザーレベル情報を取得するレベル取得ステップと、
前記報知手段が、前記ユーザーレベル情報に応じて、前記経路の案内情報を報知する報知ステップと、
前記案内出力手段が、前記経路において、前記案内情報を報知させる複数の案内報知地点を設定する設定ステップと、を実施し、
前記設定ステップでは、前記熟練度が所定値以下である場合に、前記案内報知地点間の距離が所定距離以上となる道なり区間を検出し、前記道なり区間の距離に応じた数で、前記道なり区間を分割した地点を、情報提供地点として設定し、
前記報知ステップでは、前記熟練度が前記所定値以下である場合に、前記案内報知地点と前記情報提供地点とで前記案内情報を報知し、前記熟練度が前記所定値より高い場合に、前記案内報知地点で前記案内情報を報知する
ことを特徴とする経路案内方法。
【請求項１３】
コンピューターにより出発地から目的地までの経路を表示させる経路案内方法であって、
前記コンピューターは、探索手段、経路関連情報取得手段、レベル取得手段、及び報知手段を備え、
前記探索手段が、前記出発地から前記目的地までの前記経路を探索する探索ステップと、
前記経路関連情報取得手段が、前記経路に関する経路関連情報を取得する経路関連情報取得ステップと、
前記レベル取得手段が、ユーザーの移動体の運転技術の熟練度を含むユーザーレベル情報を取得するレベル取得ステップと、
前記報知手段が、前記ユーザーレベル情報に応じて、前記経路の案内情報を報知する報知ステップと、を実施し、
前記経路関連情報取得ステップでは、所定の情報配信局から配信される道路交通情報を一般交通情報として取得し、地点に関する情報が投稿される情報投稿サイトの投稿内容を解析して、前記投稿内容に走行時の注意事項を示す交通状況キーワードが含まれる場合に、当該投稿内容を上級交通情報として取得し、
前記報知ステップでは、前記熟練度が所定値以下である場合に、前記一般交通情報を報知し、前記熟練度が前記所定値より高い場合に、前記一般交通情報と前記上級交通情報とを報知する
ことを特徴とする経路案内方法。
【請求項１４】
コンピューターにより出発地から目的地までの経路を表示させる経路案内方法であって、
前記コンピューターは、探索手段、天候取得手段、レベル取得手段、及び報知手段を備え、
前記探索手段が、前記出発地から前記目的地までの前記経路を探索する探索ステップと
前記天候取得手段が、天候情報を取得する天候取得ステップと、
前記レベル取得手段が、ユーザーの移動体の運転技術の熟練度を含むユーザーレベル情報を取得するレベル取得ステップと、
前記報知手段が、前記ユーザーレベル情報に応じて、前記経路の案内情報を報知する報知ステップと、を実施し、
前記探索ステップでは、前記熟練度が所定値以下である場合で、前記目的地の天候が好転する場合に、降雨量が少なく、かつ、前記目的地への到着時間を前記天候の好転時間に合わせた前記経路を探索し、
前記報知ステップは、前記ユーザーレベル情報に応じて前記天候情報を報知する
ことを特徴とする経路案内方法。
【請求項１５】
コンピューターにより読み込み実行される経路案内プログラムであって、
前記コンピューターを請求項１から請求項１０のいずれか一項に記載の経路案内装置として機能させる
ことを特徴とする経路案内プログラム。
【発明の詳細な説明】
【技術分野】
【０００１】
本発明は、経路案内装置、経路案内システム、経路案内方法及び経路案内プログラムに関する。
【背景技術】
【０００２】
従来、ユーザーを目的地まで案内する経路案内装置（ナビゲーション装置）が知られている（例えば、特許文献１参照）。
この特許文献１に記載の経路案内装置では、ＶＩＣＳ（登録商標）等により取得される道路交通情報をユーザーに報知する。また、ラジオ等の放送情報に道路交通情報が含まれる場合に、当該道路交通情報を抽出してユーザーに報知する。
【先行技術文献】
【特許文献】
【０００３】
【特許文献１】特開２００１−２８０９９号公報
【発明の概要】
【発明が解決しようとする課題】
【０００４】
ところで、上記特許文献１の経路案内装置は、ＶＩＣＳや放送情報に基づいて、ユーザーに対して道路交通情報（案内情報）を報知する。
しかしながら、このような案内情報は、ユーザーの運転技術の熟練度によっては、不要な情報であったり、不十分な情報であったりする場合がある。例えば、運転技術が未熟なユーザーや、旅行先等で道路情報の知識が少ないユーザーは、詳細な情報を求める傾向があるが、運転技術が成熟したユーザーや、例えば自宅近傍等で道路情報の知識が豊富なユーザーは、些細な情報は不要と感じる傾向がある。このため、ユーザーの運転技術の熟練度や道路の知識等に応じた案内情報を報知可能な経路案内装置が要望されていた。
【０００５】
本発明は、上記課題の少なくとも１つを解決することを目的とし、ユーザーに応じた最適な案内情報を報知できる経路案内装置、経路案内システム、経路案内方法及び経路案内プログラムを提供することを目的とする。
【課題を解決するための手段】
【０００６】
本発明の経路案内装置は、出発地から目的地までの経路を案内する経路案内装置であって、ユーザーの移動体の運転技術の熟練度を含むユーザーレベル情報を取得するレベル取得手段と、前記ユーザーレベル情報に応じて、前記経路の案内情報を報知する報知手段と、前記経路において、前記案内情報を報知させる複数の案内報知地点を設定する案内出力手段と、を備え、前記案内出力手段は、前記熟練度が所定値以下である場合に、前記案内報知地点間の距離が所定距離以上となる道なり区間を検出し、前記道なり区間の距離に応じた数で、前記道なり区間を分割した地点を、情報提供地点として設定し、前記報知手段は、前記熟練度が前記所定値以下である場合に、前記案内報知地点と前記情報提供地点とで前記案内情報を報知し、前記熟練度が前記所定値より高い場合に、前記案内報知地点で前記案内情報を報知することを特徴とする。
【発明の効果】
【０００７】
本発明の経路案内装置では、ユーザーの運転技術の熟練度を含むユーザーレベル情報に応じた案内情報が報知される。これによれば、ユーザーの運転技術の熟練度に応じた案内情報が報知される。このような案内情報は、ユーザーにとって有益な情報である可能性が高く、ユーザーにとって最適な案内を報知することができる。
【図面の簡単な説明】
【０００８】
【図１】本発明の一実施形態に係るナビゲーションシステムの概略図。
【図２】上記実施形態に係るナビゲーションシステムを構成するサーバー装置の構成を示すブロック図。
【図３】上記実施形態に係る運転技術の熟練度を検出する熟練度検出処理を示すフローチャート。
【図４】上記実施形態に係る経路案内処理を示すフローチャート。
【図５】上記実施形態に係る案内処理の詳細を示すフローチャート。
【図６】上記実施形態に係る経路案内画面に案内情報が表示された一例を示す図。
【図７】上記実施形態に係る経路案内画面に天候情報が表示された一例を示す図。
【図８】上記実施形態に係る経路案内画面に経路関連情報が表示された一例を示す図。
【図９】上記実施形態に係るユーザーの熟練度が「低」である場合の経路案内画面を示す図。
【図１０】上記実施形態に係るユーザーの熟練度が「中」である場合の経路案内画面を示す図。
【図１１】上記実施形態に係るユーザーの熟練度が「低」である場合の敷地内案内画面を示す図。
【図１２】上記実施形態の変形例に係る経路案内画面の一例を示す図。
【発明を実施するための形態】
【０００９】
以下、本発明に係る経路案内装置について、図面に基づいて説明する。
［ナビゲーションシステムの構成］
図１は、本実施形態に係るナビゲーションシステム１（経路案内システム）の概略構成を示すブロック図である。
ナビゲーションシステム１は、図１に示すように、複数のユーザー端末１０及び本発明の経路案内装置に相当するサーバー装置２０を備える。これら複数のユーザー端末１０及びサーバー装置２０のそれぞれは、ネットワーク（例えばインターネット等のＷＡＮ（Wide Area Network））を介して通信可能に接続される。
なお、複数のユーザー端末１０及びサーバー装置２０のそれぞれは、インターネット等のネットワークを介して接続されることとしたが、これに限らず、例えば、専用線を介して接続されてもよい。
【００１０】
本実施形態のナビゲーションシステム１は、ユーザー端末１０からユーザーの運転技術の熟練度がサーバー装置２０に送信され、サーバー装置２０が当該熟練度を取得して、当該熟練度に応じた案内情報をユーザー端末１０に送信するシステムである。このナビゲーションシステム１では、ユーザー端末１０は、サーバー装置２０から受信した熟練度に応じた案内情報をユーザーに報知する。
なお、以下では、一例として、上記態様についての詳細を説明する。
【００１１】
［ユーザー端末の構成］
ユーザー端末１０は、例えばコンピューターであり、例えば、デスクトップ型パーソナルコンピューター、ノート型パーソナルコンピューター、スマートフォン、携帯電話端末、タブレット端末、自動車等に搭載されたナビゲーション装置等により構成される。このユーザー端末１０は、本発明の経路案内装置（端末装置）に相当し、図１に示すように、測位部１１と、表示部１２と、入力操作部１３と、端末通信部１４と、音声出力部１５と、端末記憶部１６と、センサー部１７と、端末制御部１８と、を含んで構成される。
測位部１１は、例えばＧＰＳ（Global Positioning System）衛星等から送信される衛星信号を受信するＧＰＳ受信手段により構成され、ユーザー端末１０の現在位置を取得する。
なお、本実施形態では、測位部１１として、ＧＰＳ受信手段を例示するが、これに限らず、例えば、通話やデータ通信用の通信手段として用いられる携帯電話通信手段や、無線ＬＡＮ通信手段により構成されてもよい。これらの通信手段は、どの基地局の電波を受信しているのかを解析することで、概略の現在位置を測定することができる。
【００１２】
表示部１２は、本発明の報知手段に相当し、例えば液晶ディスプレイ等により構成され、端末制御部１８の制御の下、所定の画像（例えば、経路案内画面における目的地入力画面、地図及び現在位置等）を表示させる。
入力操作部１３は、ユーザーの操作による操作信号を端末制御部１８に出力する。入力操作部としては、例えば、表示部１２と一体に設けられたタッチパネルや、キーボード、マウス等の入力装置等を例示できる。また、ユーザー端末１０がマイクを内蔵する構成とし、音声入力により入力された音声を解析することで、操作信号を取得してもよい。
端末通信部１４は、サーバー装置２０やネットワーク上の所定の装置と通信する。
音声出力部１５は、本発明の報知手段に相当し、例えば、スピーカー等により構成され、端末制御部１８の制御の下、所定の音声（例えば、経路案内中における案内メッセージ等）を出力させる。
【００１３】
端末記憶部１６は、例えばメモリー、ハードディスク等のデータ記録装置により構成されている。端末記憶部１６には、例えば、ナビゲーションシステム１において経路案内画面や案内情報等を受信して表示部１２等を用いて出力するための各種プログラム（アプリケーション等）や各種データが記録される。
また、端末記憶部１６には、ユーザー端末１０を制御するための各種プログラム等が記憶される。さらに、端末記憶部１６には、ユーザー操作により設定入力された目的地や、選択されたルート情報（経路情報）の他、サーバー装置２０から送信された地図情報や案内情報（後述する経路関連情報及び駐車場情報を含む案内情報）が記録される。
さらに、端末記憶部１６には、後述するセンサー部１７により検出された加速度データが記録される。
なお、本実施形態では、端末記憶部１６は、サーバー装置２０から送信された地図情報を記憶していることとしたが、これに限らず、サーバー装置２０と通信している際に取得するようにしてもよいし、予めダウンロードして記憶しておいてもよい。このように、予めダウンロードしておけば、端末通信部１４でサーバー装置２０と通信していない状態でも地図表示が可能になる。
【００１４】
センサー部１７は、例えば、加速度センサーやジャイロセンサー等により構成されており、ユーザー端末１０の姿勢や、各軸（直交３軸系）の各方向への加速度等を検出する。本実施形態では、センサー部１７により、ユーザー端末１０及びユーザー端末１０が搭載された車両の動きに伴う加速度データを検出する。
【００１５】
端末制御部１８は、ＣＰＵ（Central Processing Unit）等の演算回路、ＲＡＭ（Random Access Memory）等の記憶回路により構成され、ユーザー端末１０の各部を制御する。この端末制御部１８は、端末記憶部１６等に記憶されているプログラム（ソフトウェア）をＲＡＭに展開し、ＲＡＭに展開されたプログラムとの協働で、各種処理を実行する。具体的には、端末制御部１８は、各種プログラムを実行することにより、熟練度検出手段１８１、入力情報取得手段１８２、及び報知制御手段１８３等として機能する。
【００１６】
熟練度検出手段１８１は、センサー部１７により検出されたユーザー端末１０の姿勢や加速度等に基づいてユーザーの運転技術に対する熟練度を検出する。
具体的には、熟練度検出手段１８１は、加速度が検出された際に走行していた経路情報、及び加速度値の変化等に基づいて、車両の走行状態（例えば、急発進の回数、急加速の回数、ふらつき回数、でこぼこ道走行、細道走行、及び車線変更の回数等）を推定する。そして、このようにして推定された車両の走行状態に基づいて、ユーザーの熟練度を「高」、「中」、「低」の３段階に分類する。例えば、熟練度の低いユーザーは、熟練度の高いユーザーに比べて、急発進の回数、急加速の回数、ふらつき回数が大きい傾向があることから、熟練度検出手段１８１は、急発進の回数、急加速の回数が大きいユーザーの熟練度を「低」に分類し、急発進の回数、急加速の回数が極めて小さいユーザーの熟練度を「高」に分類、これらの中間に相当するユーザーの熟練度を「中」に分類する。
このようにして検出されたユーザーの運転技術の熟練度は、端末通信部１４を介してサーバー装置２０に送信される。
なお、本実施形態では、ユーザーの熟練度を「高」、「中」、「低」の３段階に分類することとしたが、これに限らず、例えば、「高」及び「低」の２段階に分類するようにしてもよいし、４段階以上に分類するようにしてもよい。
【００１７】
入力情報取得手段１８２は、入力操作部１３の操作により入力された各種情報を取得する。各種情報としては、例えば、経路探索を行う際の出発地や目的地や経由地等の地点情報が挙げられる。また、ユーザーの運転技術に関する情報や、ユーザーが得手不得手とする道路環境に関する情報等を取得してもよい。
【００１８】
報知制御手段１８３は、サーバー装置２０から取得した案内情報を報知する。具体的には、報知制御手段１８３は、表示部１２にナビゲーションシステム１における経路案内画面を表示させたり、当該経路案内画面の少なくとも一部に表示される天候案内、経路関連案内及び駐車場案内を表示させたり、音声出力部１５を制御して案内情報を音声出力させたりする。
【００１９】
［サーバー装置の構成］
図２は、サーバー装置２０の概略構成を示すブロック図である。
本実施形態のサーバー装置２０は、コンピューターであり、通信部２１と、記憶部２２（記憶手段）と、制御部２３と、等を含んで構成されている。
通信部２１は、例えばＬＡＮ等を介してネットワークに接続されており、ネットワークを介してユーザー端末１０と通信する。
【００２０】
記憶部２２は、例えばメモリー、ハードディスク等により構成されたデータ記録装置である。
この記憶部２２には、ユーザー端末１０に送信する地図情報や案内情報、ユーザー端末１０から受信したユーザー情報等の各種データ、及び当該ユーザー情報に基づいて案内される案内情報の報知タイミングや報知内容を選択するナビゲーションプログラム（経路案内プログラム）等の各種プログラムが記録される。
記憶部２２に記憶される地図情報には、道路情報や、背景情報等が含まれる。
道路情報は、各道路の交差点に対応したノード情報と、ノード間を繋ぐ道路に対応したリンク情報とが含まれる。ノード情報としては、例えば、ノード番号、位置座標、ノード種別、接続ノード、交差点名称の他、信号の有無や、右左折専用レーンの有無等が記録される。
また、リンク情報には、起終点ノード番号、道路種別、道路長、道路幅、車線数、中央分離帯有無、制限速度等が記録される。
背景情報には、都道府県境界や市町村区境界、鉄道路線、各施設に関する施設情報、地名情報等が記憶される。
【００２１】
記憶部２２に記憶されるユーザー情報としては、ユーザーＩＤ、ユーザーレベル情報、自宅や勤務先等の拠点やその他登録地点、等が含まれる。また、拠点や登録地点を中心とした活動圏が記録されてもよい。
また、ユーザーレベル情報は、上述したように、ユーザーの運転技術の熟練度を含む。なお、ユーザーレベル情報としては、その他、ユーザーの得手不得手とする環境に関する道路環境情報が記録されていてもよい。道路環境情報としては、道路、駐車場、天候、時間帯等が挙げられる。例えば、不得意な道路としては「細道、交通量の多い道路、人通りの多い道路、山道」、不得意な駐車場として「縦列駐車スペース」、不得意な天候として「雪、濃霧」、不得意な時間帯として「深夜」等が記録される。
【００２２】
さらに、ユーザー情報としては、車両の走行記録データが記録されてもよい。具体的には、走行記録データとして、車両の走行速度、アクセル踏み量、ブレーキ踏み量、操舵速、操舵量、車両の燃費、走行時間、走行距離、走行時間帯、走行日数、走行曜日及び走行経路等が記憶され挙げられる。さらには、ユーザー情報として、以前に設定した目的地（例えば、目的地の住所やその種別、目的地までの経過時間等）が記憶されてもよい。
また、記憶部２２に記憶される各種情報としては、その他、各地域の天候情報や、各施設の駐車場情報、各道路に関する経路関連情報等を記憶してもよい。
サーバー装置２０は、これらの天候情報や、駐車場情報、経路関連情報は、インターネット等を介して周期的に取得する。なお、新たに取得した情報により、これらの天候情報や、駐車情報、経路関連情報を更新してもよく、過去の取得情報を蓄積してもよい。
【００２３】
［制御部の構成］
制御部２３は、ＣＰＵ等の演算回路、ＲＡＭ等の記憶回路により構成され、記憶部２２等に記憶されているナビゲーションプログラム（ソフトウェア）をＲＡＭに展開し、ＲＡＭに展開されたプログラムとの協働で、各種処理を実行する。そして、制御部２３は、上記各種処理を実行することで、図２に示すように、目的地取得手段２３１、現在位置取得手段２３２、熟練度取得手段２３３、天候取得手段２３４、経路関連情報取得手段２３５、駐車場情報取得手段２３６、経路探索手段２３７、及び案内出力手段２３８として機能する。
【００２４】
目的地取得手段２３１は、ユーザー端末１０から目的地を取得する。
現在位置取得手段２３２は、ユーザー端末１０の測位部１１により測位された地点情報を取得し、当該地点情報に対応する位置をユーザー端末１０（ユーザー端末１０が搭載された車両）の位置として取得する。この現在位置取得手段２３２は、所定のタイミング（例えば、１秒ごと）に現在位置を取得する。
【００２５】
熟練度取得手段２３３は、ユーザー端末１０の熟練度検出手段１８１により分類されたユーザーの運転技術の熟練度を取得する。また、熟練度取得手段２３３は、記憶部２２に記憶されたユーザー情報のユーザーレベル情報を更新する。
【００２６】
天候取得手段２３４は、各地の天候情報を記憶するデータベースを備えるサーバー（図示省略）から、目的地取得手段２３１により取得された目的地の天候情報を取得する。本実施形態では、所定地点の所定時間における天候情報を取得する。なお、この天候情報としては、天気（晴れ、曇り、雨等）の他、最高気温、最低気温、積雪量、冠水の有無、風速、花粉の飛散量等の情報が含まれてもよい。
例えば、天候取得手段２３４は、ユーザーが出発地から目的地まで移動する場合に、その目的地の現在の天候情報や、目的地に到着する到着予測時間での天候情報を取得する。また、天候取得手段２３４は、目的地までの経路上の各通過地点における現在の天候情報や、通過地点を通過する通過予測時間の天候情報を取得してもよい。また、取得される天候情報としては、上記のような現在、到着予測時間、通過予測時間での天候情報に限定されず、例えば、予想到着時間や通過予測時間から１２時間後までの天候情報を取得するようにしてもよい。
【００２７】
経路関連情報取得手段２３５は、後述する経路探索手段２３７により探索された出発地（ユーザー端末１０の位置）から目的地までの経路に関連する経路関連情報を取得する。本実施形態では、経路関連情報は、上記経路上におけるスピードが出てしまいやすい位置、一時停止標識が見辛い位置の他、経路上（経路の右側及び左側）に位置する飲食店や、当該飲食店のおすすめメニュー等を取得する。これら関連情報は、例えば、インターネット上の口コミサイトや、上記経路関連情報を予め記憶したサーバー等から取得される。
【００２８】
駐車場情報取得手段２３６は、目的地の駐車場に関する駐車場情報を、所定のデータ装置から取得する。このデータ装置としては、例えば各施設における駐車場を管理する駐車場管理サーバー等が挙げられ、駐車場管理サーバーから周期的に駐車情報を取得する。
この駐車場情報には、当該駐車場の入口に関する情報を含む入口情報の他、駐車場内の敷地内の構造（例えば、駐車スペース等が表示された敷地内の地図等）や、駐車場（駐車スペース）の空き状況等を記録された敷地内情報等が含まれる。
具体的には、入口情報は、駐車場に入場する際の経路であり、例えば、右折入場が可能か否か等の情報が例示できる。
また、敷地内情報としては、各駐車スペースの位置、空スペースの位置や駐車方法（縦列駐車、前向き駐車、バック駐車等）、駐車場から出る際に出口への経路等が記録される。具体的には、敷地内情報には、地図情報の道路情報と同様のデータ構造を有し、例えばノード及びリンクにより、車両が走行可能な走行路が記述されている。このため、地図情報における経路探索と同様、駐車場の敷地内において、入口から各駐車スペース、駐車スペースから出口までの経路が探索可能となる。
なお、ここでは、駐車場情報に入口情報と敷地内情報が含まれる例を示すが、入口情報と敷地内情報とを、それぞれ別情報として取得してもよい。この場合、入口情報は、地図情報に関連付けられて記憶部２２に記憶されていてもよい。
【００２９】
経路探索手段２３７は、本発明の探索手段に相当し、出発地から目的地までの経路を探索する。この際、経路探索手段２３７は、ユーザーレベル情報に応じた経路を探索する。また、経路探索手段２３７は、駐車場情報（入口情報）に基づいて、現在位置から駐車場の入口までの経路を探索する他、駐車場情報（敷地内情報）に基づいて、当該敷地内の経路を探索する。
【００３０】
案内出力手段２３８は、ユーザー端末１０に各種案内情報を出力する。これにより、案内情報を受信したユーザー端末１０は、表示部１２や音声出力部１５を制御して、案内情報に含まれる各種情報を報知する。
この際、案内出力手段２３８は、ユーザーレベル情報（例えば運転技術の熟練度）に応じた案内情報を出力する。例えば、案内出力手段２３８は、ユーザーの熟練度に応じて、報知する案内情報の内容、報知タイミング、報知頻度を変更する。
なお、案内出力手段２３８が出力する各種案内情報には、経路案内の際に報知される案内情報の他、目的地の天候情報、目的地までの経路に関する経路関連情報、及び目的地の駐車場に関する駐車場情報等を含まれる。
【００３１】
［情報検索システムの動作］
次に、上記のようなナビゲーションシステム１における経路案内方法について説明する。
［熟練度取得処理］
本実施形態のナビゲーションシステム１では、予めユーザー端末１０において、ユーザーの運転技術の熟練度が検出され、サーバー装置２０に送信される。
図３は、本実施形態における運転技術の熟練度を検出する熟練度検出処理を示すフローチャートである。
この熟練度検出処理では、熟練度検出手段１８１は、ユーザー端末１０を所有するユーザーが車両を運転中であるか否かを判定する（ステップＳ１）。
この判定は、例えば測位部１１により所定周期で現在位置を取得し、その位置間隔に基づいて算出される移動速度が所定値以上であるか否かを判定してもよく、さらに、センサー部１７により検出された加速度が所定値以上となる区間の距離を検出してもよい。また、ユーザー操作により運転中である旨、又はこれから運転を行う旨の操作信号が入力されることで、運転中であると判定してもよい。
【００３２】
また、熟練度検出手段１８１は、ユーザーが車両を運転している間、センサー部１７により検出された加速度やユーザー端末１０の姿勢、測位部１１により測位される位置、センサー部１７や測位部１１による検出処理が実施された時間を取得し、これらを関連付けて運転測定データとして端末記憶部１６に記憶する（ステップＳ２）。
【００３３】
この後、熟練度検出手段１８１は、運転測定データに基づいて、ユーザーの運転技術の熟練度を検出する（ステップＳ３）。
このステップＳ３では、熟練度検出手段１８１は、例えば、運転測定データに基づいて、運転技術に関する複数の項目に対するスコアを算出し、これらの合計スコアに基づいて、ユーザーの運転技術の熟練度を検出する。運転技術に関する項目としては、例えば、車両速度、急な加減速、ふらつき等が挙げられる。この場合、熟練度検出手段１８１は、サーバー装置２０から送信された経路情報（後述）と、測位部１１により計測される位置と、測位された時刻とに基づいて、車両速度を算出し、通過した道路の法定速度と車両速度との差に基づいて、運転速度に対するスコアを算出する。また、車両の進行方向に対する加速度の値から、急加速（急発進）や急ブレーキを検出し、その回数を計測して急加減速に対するスコアを算出する。さらに、車両の進行方向に対して交差する横方向や縦方向に対する加速度の値から、運転中のふらつきやノッキングを検出し、その回数を計測してふらつきに対するスコアを算出する。そして、熟練度検出手段１８１は、予め端末記憶部１６に記憶している合計スコアと熟練度との相関データに基づいて、ユーザーの運転技術に対する熟練度を検出する。
【００３４】
そして、熟練度検出手段１８１は、検出した熟練度を端末記憶部１６に記憶するとともに、当該熟練度を、ユーザーを特定するユーザーＩＤとともにサーバー装置２０に送信する（ステップＳ４）。
なお、熟練度検出手段１８１は、熟練度の他、安全運転の度合いを示す運転適合度等を算出してもよい。この場合、例えば、急発進や急加速、急ブレーキの回数、曲がり角での運転速度、法定速度を超える速度超過、横方向に対する加速度に基づいた車線変更の回数等により運転適合度を算出することができる。
【００３５】
以上のように、車両の走行中のデータに基づいて、熟練度検出処理が実施され、サーバー装置２０に検出された熟練度が送信されると、サーバー装置２０は、ステップＳ４にて送信されたユーザーＩＤに対応するユーザー情報のユーザーレベル情報に、送信された熟練度を記憶する。この際、ユーザーレベル情報に、既に熟練度が記憶されている場合は、新たに取得した熟練度により更新してもよく、取得した熟練度を蓄積記憶してもよい。
【００３６】
［経路設定処理］
図４は、本実施形態のナビゲーションシステム１における経路案内方法（経路案内処理）を示すフローチャートである。
本実施形態のナビゲーションシステム１では、サーバー装置２０の目的地取得手段２３１及び現在位置取得手段２３２は、目的地及び現在位置（出発地）を取得する地点取得処理を実行する（ステップＳ１１）。具体的には、ユーザー端末１０において、測位部１１により、現在位置が取得され、入力情報取得手段１８２により目的地の情報が取得されると、ユーザー端末１０は、これらの現在位置及び目的地の情報をサーバー装置２０に送信する。これにより、目的地取得手段２３１は、受信した目的地を取得し、現在位置取得手段２３２は、送信された現在位置を出発地として取得する。なお、現在位置取得手段２３２による現在位置の取得は、継続的に実行される。
【００３７】
ステップＳ１１による地点取得処理が実行されると、熟練度取得手段２３３は、記憶部２２に記憶されているユーザー情報から、ユーザーレベル情報に記録されているユーザーの運転技術の熟練度（例えば、「高」、「中」、「低」のいずれかの熟練度情報）を取得する（ステップＳ１２）。
また、駐車場情報取得手段２３６は、目的地の駐車場情報を、駐車場管理サーバー等のデータ装置から例えばインターネット取得し、取得した駐車場情報から入口情報を抽出する（ステップＳ１３）。
なお、上述したように、入口情報が地図情報に関連付けられて記憶部２２に記憶されていてもよく、この場合は、記憶部２２に記憶されている地図情報から、目的地に対応した施設情報を取得し、当該施設情報に関連付けられた入口情報を取得する。
【００３８】
そして、経路探索手段２３７は、ステップＳ１２にて取得したユーザーの熟練度に応じた経路探索処理を実行する（ステップＳ１４）。
例えば、経路探索手段２３７は、ユーザーの熟練度が「低」である場合、地図情報における道路情報から、道路幅が第一閾値（例えば５ｍ）未満となるリンク情報を抽出して、出発地（現在位置）から目的地までの経路を探索する。これにより、すれ違いが困難な細い道を除外して広い道路を通る経路を案内できる。また、右左折地点のノード情報に信号が無い場合での右左折の必要がある経路を除外してもよい。この場合では、信号が無いために主要道路に合流し辛い経路を除外することができる。さらに、リンク情報に含まれる車線数が第二閾値以上（例えば３以上）であり、複数の車線を跨ぐ車線変更を所定距離（例えば１００ｍ等）以内で行う必要がある経路を除外してもよい。
一方、経路探索手段２３７は、ユーザーの熟練度が「高」である場合に、道路幅等によらず、最短距離若しくは最短時間にて目的地に到着できる可能性が高い目的地までの経路探索を実行する。
【００３９】
また、本実施形態では、ステップＳ１３に取得した駐車場の入口情報に基づいた経路探索を実施し、経路探索手段２３７は、駐車場に対して右折入場（又は、右側通行の地域では、左折入場）禁止の場合、駐車場に対して左折（左折入場禁止の場合は右折）にて入場可能な経路を探索する。
ここで、経路探索手段２３７は、右左折入場が可能な駐車場に対して、熟練度に応じた経路を探索する。つまり、経路探索手段２３７は、熟練度が「高」である場合、駐車場への右左折とは関係なく、目的地への到着が最短となる経路を探索する。また、経路探索手段２３７は、熟練度が「低」である場合、駐車場に対して右左折入場可能であったとしても左折入場（右側通行の地域では右折入場）での経路を探索する。さらに、経路探索手段２３７は、熟練度が「中」である場合、ＶＩＣＳ（登録商標）等により取得される渋滞情報に基づいて、経路を変更してもよい。例えば、ＶＩＣＳ等の経路関連情報に、目的地の駐車場の前の道路が渋滞している旨の情報が含まれている場合や、過去の交通状況の統計データに基づく渋滞予測により、到着時間において駐車場の前の道路が渋滞する可能性がある場合、駐車場に対して左折（右側通行の地域では右折）にて入場可能な経路を探索する。
また、経路探索手段２３７は、以上のようなユーザーの熟練度に応じた経路探索を実施した後、目的地への到着予測時間を算出する。
【００４０】
この後、天候取得手段２３４は、各地の天候情報を記憶するデータベースを備えるサーバーから、目的地や目的地までの経路上の各地点（経由地点）の天候情報（例えば、雨）を取得する（ステップＳ１５）。具体的に、天候取得手段２３４は、上記サーバーから、目的地や経由地点における現在の天気（晴れ、曇り、雨等）や予想到着時刻（経由地点は通過予想時刻）における天気の他、最高気温、最低気温、積雪量、冠水の有無、風速、花粉の飛散量等の天候情報を取得し、記憶部２２に記憶する。
【００４１】
この後、案内出力手段２３８は、ステップＳ１４にて探索された経路に対して、案内情報を報知させる案内報知地点を設定する（ステップＳ１６）。
具体的には、案内出力手段２３８は、熟練度に応じた案内報知地点を設定する。例えば、熟練度が「低」の場合、経路上の交差点等の目標地点を案内する案内情報（例えば「次の信号を右です」等のメッセージ）は、早いタイミング（例えば目標地点の３００ｍ手前）での報知が好ましく、熟練度が「高」のユーザーであれば、あまりに早いタイミングで上記案内情報を報知すると煩わしいと感じる可能性が高いため、遅いタイミング（例えば、目標地点の１００ｍ手前）での報知が好ましい。また、熟練度が「低」の場合等、早いタイミングでの案内情報を報知では、実際の目標に対して離れているので複数回、案内情報を報知することが好ましい。すなわち、熟練度が「低」の場合、案内情報の報知頻度を高くする。
例えば、熟練度が「低」の場合、交差点等の目標地点の手前の３００ｍ、２００ｍ、１００ｍを、目標地点を案内する案内報知地点に設定し、熟練度が「中」の場合では目標地点の手前の２００ｍ、１００ｍを、目標地点を案内する案内報知地点に設定し、熟練度が「高」である場合、目標地点の手前の１００ｍを、目標地点を案内する案内報知地点に設定する。
【００４２】
また、案内出力手段２３８は、設定された経路において、案内地点間の距離が所定距離以上となる道なり区間を検出する。そして、案内出力手段２３８は、熟練度が「低」、「中」である場合に、道なり区間の距離に応じた情報提供地点を設定する。この情報提供地点は、道なり区間の距離が長いほど多く設定される。例えば、道なり区間が２ｋｍ未満の場合は設定せず、道なり区間が２ｋｍ以上１０ｋｍ未満の場合は、道なり区間を２分割した地点（例えば、道なり区間が５ｋｍは２．５ｋｍ地点）を情報提供地点に設定し、道なり区間が１０ｋｍ以上２０ｋｍの場合は、道なり区間を３分割した地点（例えば、道なり区間が１２ｋｍは４ｋｍ地点、８ｋｍ地点）を情報提供地点として設定する。
【００４３】
以上の後、案内出力手段２３８は、ユーザー端末１０にステップＳ１４で設定した経路（経路情報）を送信する（ステップＳ１７）。
ユーザー端末１０は、サーバー装置２０から経路情報が送信されると、当該経路情報に含まれる経路及び到着予想時刻等を表示部１２に表示させる。そして、ユーザーが入力操作部１３を操作して、経路案内を開始する旨の操作信号を入力すると、ユーザー端末１０は、経路案内処理の開始を要求する要求信号をサーバー装置２０に送信する。サーバー装置２０は、当該要求信号を受信すると、案内出力手段２３８により、案内処理が実行される（ステップＳ１８）。なお、この案内処理では、ユーザー端末１０は、所定周期で測位部１１により現在位置を測位し、測位した現在位置をサーバー装置２０に送信する。
【００４４】
［案内処理］
図５は、本実施形態のナビゲーション方法における案内処理（ステップＳ１８）の詳細を示すフローチャートである。
まず、図４のステップＳ１８による経路案内処理が開始されると、案内出力手段２３８は、現在位置取得手段２３２により継続的に取得される現在位置が、ステップＳ１７にて設定された案内報知地点であるか否かを判定する（ステップＳ２１）。
ステップＳ２１の判定処理にてＹＥＳと判定された場合、すなわち、現在位置が経路上における案内情報報知地点であると判定されると、案内出力手段２３８は、対応する目標地点（交差点等）の案内情報をユーザー端末１０に送信する（ステップＳ２２）。
これにより、ユーザー端末１０は、案内情報を受信すると、報知制御手段１８３は、表示部１２や音声出力部１５を制御して、案内を報知する。例えば、案内情報に応じた音声メッセージを音声出力部から出力させ、案内情報に目標地点（交差点）の詳細情報（拡大図）が設けられている場合は、表示部１２に目標地点の拡大図を表示させる。
【００４５】
図６は、経路案内画面ＳＣ１において案内情報Ｍ３が表示された一例を示す図である。
ステップＳ２２の処理により出力された案内情報がユーザー端末１０で受信されると、ユーザー端末１０の報知制御手段１８３は、図６に示すような経路案内画面ＳＣ１を表示させる。この経路案内画面ＳＣ１には、現在位置マークＰ１、目的地までの経路Ｌ３の他、ユーザーが走行中の案内情報Ｍ３が表示される。この案内情報Ｍ３には、「次の信号を右です。」等のメッセージＭ３１が表示される。
また、このメッセージＭ３１は、音声出力部１５から音声出力される。これにより、熟練度が「低」、「中」、「高」すなわち、全てのユーザーは、それぞれ異なるタイミングにて案内情報Ｍ３を認識できる。これにより、ユーザーは、熟練度に係わらずストレスを感じることなく、かつ、確実に案内情報Ｍ３に基づいて経路を走行できる。
【００４６】
一方、ステップＳ２１の判定処理により、ＮＯと判定されると、案内出力手段２３８は、ユーザーの熟練度が「高」であるか否かを判定する（ステップＳ２３）。
そして、ステップＳ２３の判定処理により、ＮＯと判定されると、案内出力手段２３８は、現在位置取得手段２３２により継続的に取得される現在位置が、ステップＳ１７にて設定された情報提供地点であるか否かを判定する（ステップＳ２４）。
【００４７】
ステップＳ２４で、ＹＥＳと判定されると、天候情報を報知済み（ユーザー端末１０の送信済み）であるか否かを判定する（ステップＳ２５）。このステップＳ２５において、ＮＯと判定された場合、案内出力手段２３８は、ステップＳ１５で取得された天候情報をユーザー端末１０に送信する（ステップＳ２６）。
【００４８】
図７は、経路案内画面ＳＣ１において天候情報Ｍ１が表示された一例を示す図である。
ステップＳ２６の処理により出力された天候情報が、ユーザー端末１０で受信されると、報知制御手段１８３は、図７に示すような経路案内画面ＳＣ１を表示させる。この経路案内画面ＳＣ１には、ユーザー端末１０（ユーザー端末１０が搭載された車両）の位置を示す現在位置マークＰ１、目的地までの経路Ｌ１の他、目的地の天候情報Ｍ１が表示される。この天候情報Ｍ１には、目的地の天候を示すイラストＭ１１と、目的地の天候に合わせたメッセージＭ１２が表示される。例えば、天候情報Ｍ１には、目的地の天候をしめす雨のイラストＭ１１と、「目的地の天候は、雨。５０ｋｍ以下での走行がおすすめです！」等のメッセージＭ１２と、が表示される。
また、このメッセージＭ１２は、音声出力部１５から音声出力される。これにより、熟練度が「低」、「中」、すなわち、熟練度が「高」でないユーザーは、目的地の天候及び当該天候に適した走行を認識できる。
なお、図７の例では、目的地の天候情報を報知する例であるが、これに限定されず、例えば目的地までの経路上における経由地点であってもよい。例えば、経由地点を通過する際の天候が雨である場合に、当該経由地点の天候情報を、当該経由地点を通過する前に報知する。この場合、ユーザーは、経由地点を通過する前に、経由地点における天候を認識できる。
【００４９】
ステップＳ２６の後、及び、ステップＳ２５においてＹＥＳと判定された場合、並びにステップＳ２３において、ＹＥＳと判定された場合、案内出力手段２３８は、経路関連情報取得手段２３５により、熟練度に応じた経路関連情報が取得されたか否かを判定する。（ステップＳ２７）。
本実施形態では、経路関連情報取得手段２３５は、ＶＩＣＳ等の情報配信局から配信される道路交通情報や、地点に関する情報が投稿される情報投稿サイトの投稿内容を参照し、経路関連情報の有無を常時監視する。そして、経路関連情報取得手段２３５は、道路交通情報が取得された場合に、その内容を一般交通情報として取得する。
また、経路関連情報取得手段２３５は、情報投稿サイトの投稿内容等を解析し、例えば経路上の道路（国道名や県道名等）に対する投稿を検索し、ヒットした投稿内容を取得する。さらに、当該投稿内容に、速度注意、一時停止、死角等の注意事項を示すキーワードが含まれるか否かを判定して、当該キーワードが含まれる場合に上級交通情報として取得する。すなわち、熟練度が高くなる程忘れがちとなる諸注意が記録された交通情報を上級交通情報とする。一方、交通状況キーワードが含まれない場合に、経路紹介情報として取得する。
【００５０】
ステップＳ２７では、案内出力手段２３８は、熟練度に応じた経路関連情報が取得されたか否かを判定し、例えば、熟練度が「低」「中」の場合では、一般交通情報又は経路紹介情報が取得された場合にＹＥＳと判定する。また、熟練度「高」の場合では、一般交通情報又は上級交通情報が取得された場合にＹＥＳと判定する。
【００５１】
そして、ステップＳ２７においてＹＥＳと判定された場合、案内出力手段２３８は、取得した経路関連情報をユーザー端末１０に送信する（ステップＳ２８）。
図８は、経路案内画面ＳＣ１において経路関連情報Ｍ２が表示された一例を示す図である。なお、図８は、経路関連情報として上級交通情報が送信された場合の一例である。
ステップＳ２７の処理により出力された経路関連情報がユーザー端末１０で受信されると、ユーザー端末１０の報知制御手段１８３は、図８に示すような経路案内画面ＳＣ１を表示させる。この経路案内画面ＳＣ１には、現在位置マークＰ１、目的地までの経路Ｌ２の他、ユーザーが走行中の経路に関連する経路関連情報Ｍ２が表示される。この経路関連情報Ｍ２には、経路にて特に注意して運転すべき位置を示すイラストＭ２１と、運転において特に注意すべきメッセージＭ２２が表示される。例えば、経路関連情報Ｍ２には、上記経路にて特に注意して運転すべき位置を目立たせるイラストＭ２１と、「Ａ信号付近では、スピードに注意してください！」等のメッセージＭ２２と、が表示される。また、このメッセージＭ２２は、音声出力部１５から音声出力される。
以上のような熟練度に応じた経路関連情報が報知されることで、ユーザーは、熟練度に応じた有益な情報が提供されることになる。例えば、上級交通情報が報知されることで、自身の運転に過信する傾向のある熟練度「高」のユーザーは、経路Ｌ２上にて特に注意して運転すべき位置を認識でき、事故等の発生率を下げることができる。また、熟練度「中」「低」のユーザーは、運転に対して慎重であるため、上記のような上級交通情報は報知されなくても問題とならないが、経路上の有益な情報（例えば店舗情報等）を得ることができる。また、熟練度によらず、一般交通情報が報知されることで、ユーザーは、渋滞や事故等の交通状況に関する情報を認識でき、車両走行時の有益な情報が得られることになる。
なお、この経路関連情報Ｍ２は、１つである必要はなく、２つでも３つでもよい。この場合、経路関連情報Ｍ２にて示された位置を通過した場合に２つめの経路関連情報を表示するようにしてもよいし、同時に表示するようにしてもよい。
【００５２】
図５に戻って、ステップＳ２２の処理の後、ステップＳ２８の処理の後、及びステップＳ２７やステップＳ２４においてＮＯと判定された場合、案内出力手段２３８は、現在位置が目的地近傍であるか否かを判定する（ステップＳ２９）。例えば、案内出力手段２３８は、現在位置が目的地（目的地の駐車場の入口）まで１ｋｍ以内か否かを判定する。このステップＳ２９の判定処理により、ＮＯと判定されると、案内出力手段２３８は、処理をステップＳ２１に戻し、上記ステップＳ２１〜Ｓ２８の処理を繰り返し実行する。
一方ステップＳ２９の判定処理において、ＹＥＳと判定されると、駐車場情報取得手段２３６は、駐車場の敷地内情報を取得する（ステップＳ３０）。例えば、駐車場情報取得手段２３６は、駐車場内の敷地に関する敷地内情報として、駐車スペース（白線で囲まれた駐車領域）等が表示された敷地内の地図情報や、駐車場の空き状況等を、目的地として設定される施設等が管理する駐車場管理サーバーから取得する。また、ステップＳ３０の処理において、駐車場情報（敷地内情報）が取得できなかった場合は、後述のステップＳ３５の処理を実施する。
【００５３】
そして、案内出力手段２３８は、ステップＳ３０の処理により、目的地の駐車場に空きがあるか否かを判定する（ステップＳ３１）。
このステップＳ３１の判定処理により、ＮＯと判定されると、案内出力手段２３８は、別の駐車場への経路案内を実行する（ステップＳ３２）。このステップＳ３２では、別の駐車場への一覧をユーザー端末１０に送信して、ユーザーにより選択された駐車場を目的地に再設定してもよい。また、目的地から最も近い駐車場を自動選択してもよい。駐車場を自動選択する場合は、ステップＳ１４と同様の処理により、熟練度に応じた経路を探索する。
なお、ステップＳ３２により目的地を当該別の駐車場に変更すると、ステップＳ２１の処理に戻る。
【００５４】
一方、ステップＳ３１において、ＹＥＳと判定された場合は、案内出力手段２３８は、ユーザーの熟練度が「高」であるか否かを判定する（ステップＳ３３）。
このステップＳ３３の判定処理にて、ＮＯと判定された場合、すなわち、ユーザーの熟練度が「低」、「中」である場合、案内出力手段２３８は、熟練度に応じた駐車場情報をユーザー端末１０に出力する（ステップＳ３４）。
具体的には、熟練度が「中」である場合は、空の駐車スペースの位置のみを示す駐車場情報（敷地内情報）をユーザー端末１０に送信する。
一方、熟練度が「低」である場合は、空スペースの位置のうち、最も駐車が容易となる空の駐車スペースまでの位置を経路探索手段２３７により探索させ、その経路（敷地内経路）と、敷地内情報とをユーザー端末１０に送信する。駐車が容易な駐車スペースとしては、例えば、敷地内情報の各駐車スペースの位置に、駐車難易度情報を関連付けて記憶しておく。これにより、空の駐車スペースのうち、駐車が最も容易となるスペースを容易に判定できる。
【００５５】
図９は、ユーザーの熟練度が「低」である場合の経路案内画面ＳＣ１であり、図１０は、ユーザーの熟練度が「中」である場合の経路案内画面ＳＣ１である。
ユーザー端末１０において、測位部１１により測位される現在位置が目的地の駐車場近傍に位置する場合、ユーザー端末１０の報知制御手段１８３は、ユーザーの熟練度が「低」である場合、図９に示すような経路案内画面ＳＣ１を表示する。この経路案内画面ＳＣ１には、現在位置マークＰ１、目的地までの経路Ｌ４の他、駐車場情報を含む案内情報Ｍ４（駐車場に入場する際の喚起情報）と、駐車場の空き状況を知らせる空情報Ｍ５と、が表示される。
熟練度が「低」である場合、ステップＳ１４に探索される経路として、駐車場の入口に右左折両方での入場が可能な場合でも、左折による入場経路が案内される。従って、図９に示すように、この案内情報Ｍ４としては、例えば、「Ｄモールの駐車場入り口は、右折困難です。迂回するため、信号を直進してください。」等のメッセージが表示される。また、このメッセージは、音声出力部１５から音声出力される。これにより、熟練度が「低」のユーザーは、経路案内画面ＳＣ１上にて容易に入場可能な経路Ｌ４を認識できる。
また、空情報Ｍ５には、例えば、「Ｄモールの駐車場は、空有。」等のメッセージが表示される。なお、この空情報Ｍ５は、メッセージである必要はなく、単に駐車場の空きを示すマークが表示されることとしてもよい。
【００５６】
一方、ユーザー端末１０の報知制御手段１８３は、ユーザーの熟練度が「中」である場合、図１０に示すような経路案内画面ＳＣ１を表示する。この経路案内画面ＳＣ１には、現在位置マークＰ１、目的地までの経路Ｌ５の他、駐車場の空き状況を知らせる空情報Ｍ５のみが表示される。なお、ユーザーの熟練度が「中」であるため、経路探索手段２３７は、最短の経路Ｌ５を検索している。このため、熟練度が「中」であるユーザーは、最短距離にて駐車場に入場できる。
【００５７】
図１１は、ユーザーの熟練度が「低」である場合の敷地内案内画面ＳＣ２を示す図である。
ステップＳ３４の処理により、駐車場情報がユーザー端末１０に送信され、測位部１１により測位された現在位置が駐車場内に移動すると、ユーザー端末１０の報知制御手段１８３は、ユーザーの熟練度が「低」である場合、サーバー装置２０から送信される駐車場情報に基づいて、図１１に示すような駐車場の敷地内案内画面ＳＣ２を表示部１２に表示する。この敷地内案内画面ＳＣ２には、現在位置マークＰ１と、駐車スペースの空きを示す空マークＭ６と、空きがある駐車スペースのうち、駐車が容易な駐車スペースまでの敷地内経路Ｌ６と、が表示される。
【００５８】
例えば、空マークＭ６が表示されている駐車スペースＡｒ１，Ａｒ２のうち、駐車スペースＡｒ１の前方の距離は、駐車スペースＡｒ２の前方の距離より大きい。すなわち、熟練度が「低」のユーザーは、駐車スペースＡｒ２より駐車スペースＡｒ１に車両を駐車しやすい。このため、敷地内案内画面ＳＣ２においては、経路探索手段２３７により探索された駐車スペースＡｒ１までの敷地内経路Ｌ６が表示される。
なお、本実施形態では、敷地内経路Ｌ６を表示することとしたが、これに限らず、駐車が容易な駐車スペースが色つきで表示されるようにしてもよいし、特殊なマークを表示するようにしてもよい。
【００５９】
また、このような敷地内案内画面ＳＣ２は、ユーザーの熟練度が「低」の場合に表示部１２に表示される。すなわち、ユーザーの熟練度が「中」の場合では、空スペースの位置のみが表示され、敷地内経路は表示されない。また、熟練度が「高」である場合には、当該敷地内案内画面ＳＣ２は表示されない。しかしながら、本発明は、これに限らない。例えば、熟練度が「高」の場合でも、熟練度が「中」の場合と同様、空スペースのみ表示するようにしてもよい。この際、例えば、ユーザーの熟練度が「高」の場合は、駐車の容易さを無視して、施設の入り口に近い駐車スペースに案内するようにしてもよい。
【００６０】
図５に戻って、ステップＳ３４の後、案内出力手段２３８は、目的地に到着したか否かを判定する（ステップＳ３５）。例えば、案内出力手段２３８は、現在位置が目的地と一致したか否かを判定する。このステップＳ３５において、ＮＯと判定された場合、処理をステップＳ２９に戻して、上記ステップＳ２９〜Ｓ３５の処理を繰り返し実行する。
一方、ステップＳ３５の判定処理において、ＹＥＳと判定されると、案内出力手段２３８は、経路案内処理を終了させる。
【００６１】
［実施形態の効果］
本実施形態に係るナビゲーションシステム１は、以下の効果を奏する。
本実施形態では、ユーザーの運転技術の熟練度を含むユーザーレベル情報に応じた案内情報が報知される。これによれば、ユーザーの運転技術の熟練度に応じた案内情報が報知される。このような案内情報は、ユーザーにとって有益な情報である可能性が高く、ユーザーにとって最適な案内を報知することができる。
例えば、ユーザーの運転技術の熟練度を含むユーザーレベル情報を考慮することなく、案内情報が報知されると、ユーザーにとって不必要な情報が案内情報として報知される場合がある。これに対し、本実施形態では、ユーザーの熟練度を含むユーザーレベル情報に応じて、案内情報が報知されるので、当該案内情報がユーザーにとって有益な情報である可能性が高い。従って、ユーザーは、当該案内情報を有効に活用でき、安全に車両を運行できる。
【００６２】
本実施形態では、案内情報報知地点の位置を熟練度により異ならせることにより、案内情報の報知タイミングを熟練度により異ならせている。このため、熟練度が「低」、「中」、「高」、すなわち、全てのユーザーは、それぞれ異なるタイミングにて案内情報Ｍ３を認識できる。これにより、ユーザーは、熟練度に係わらずストレスを感じることなく、かつ、確実に案内情報Ｍ３に基づいて経路を走行できる。
【００６３】
経路探索手段２３７は、ステップＳ１２にて取得したユーザーの熟練度に応じた経路探索処理を実行するので、例えば、熟練度が「低」のユーザーは、中央線が引かれていない細い道、信号が無いために合流し辛い道及び車線変更を短期間に行わなくてはならない道等を案内されないので、熟練度が「低」のユーザーであっても、安心して車両を運行できる。また、熟練度が「高」のユーザーは、初心者には困難な道のいずれの道路も除外することなく、最短距離若しくは最短時間にて目的地に到着できる可能性が高い目的地までの経路を探索するので、熟練度が「高」のユーザーは、最短距離若しくは最短時間にて目的地に到着できる。従って、ユーザーの利便性を向上できる。
【００６４】
本実施形態では、熟練度に応じた経路関連情報が報知されることで、ユーザーは、熟練度に応じた有益な情報が提供されることになる。例えば、上級交通情報が報知されることで、自身の運転に過信する傾向のある熟練度「高」のユーザーは、経路Ｌ２上にて特に注意して運転すべき位置を認識でき、事故等の発生率を下げることができる。また、熟練度「中」、「低」のユーザーは、運転に対して慎重であるため、上記のような上級交通情報は報知されなくても問題とならないが、経路上の有益な情報（例えば店舗情報等）を得ることができる。また、熟練度によらず、一般交通情報が報知されることで、ユーザーは、渋滞や事故等の交通状況に関する情報を認識でき、車両走行時の有益な情報が得られることになる。
【００６５】
駐車場情報取得手段２３６により目的地の駐車場の入口情報が取得されるので、経路探索手段２３７は、当該入口を目的地として経路探索を実行できる。これによれば、確実にユーザーを目的地まで案内できる。
また、当該入口の入場方向（例えば、右折禁止、左折禁止等）を取得できるので、例えば、駐車場の入口の入場方向に特に制限がない場合に、ユーザーの熟練度に応じて当該入口までの経路を変更できる。これによれば、熟練度が「低」のユーザーには、駐車場に容易に入場可能な経路が報知（表示）され、熟練度が「中」、「高」のユーザーには、最短距離で入場可能な経路が報知されるので、ユーザーの利便性をさらに高めることができる。
【００６６】
ユーザー端末１０は、駐車場情報取得手段２３６により目的地の駐車場の敷地内情報（駐車スペース等が表示された敷地内の地図情報や、駐車場の空き状況等）を取得された当該敷地内情報を表示部１２に表示するので、ユーザーは、目的地の駐車場情報を容易に認識できる。また、ユーザーの熟練度に応じて、表示される駐車場情報が異なるので、いずれの熟練度のユーザーであっても、ストレスなく当該ナビゲーションシステム１を利用できる。
【００６７】
特に、ユーザーの熟練度が「低」である場合には、経路案内画面ＳＣ１に駐車スペースの空きを示す空マークＭ６と、空きがある駐車スペースのうち、ユーザーの熟練度に応じた駐車が容易な駐車スペースを案内する敷地内経路Ｌ６が表示されるので、熟練度が「低」のユーザーであっても、容易に駐車スペースに車両を駐車できる。
また、ユーザー端末１０が搭載される車両が目的地から所定の距離範囲内に到達した際に、上記スペース情報を含む敷地内情報が取得されるので、現在の駐車場の状況をより確実に把握できる。
【００６８】
ユーザー端末１０は、天候取得手段２３４により取得された天候情報を含む経路案内画面ＳＣ１を表示部１２に表示され、かつ、当該天候情報が音声出力されるので、熟練度が「中」、「低」のユーザーは、目的地の天候及び当該天候に適した走行を認識できる。また、熟練度が「高」のユーザーには、当該天候情報が報知されないので、当該ユーザーは、不要と感じる可能性が高い情報を認識することなく、車両を運行できる。従って、全てのユーザーの利便性を高めることができる。
【００６９】
［実施形態の変形］
なお、本発明は、上述した実施形態に限定されるものではなく、本発明の目的を達成できる範囲で、以下に示される変形をも含むものである。
［変形例１］
上記実施形態では、経路探索手段２３７は、熟練度取得手段２３３により取得されたユーザーの熟練度に応じて経路を探索し、案内出力手段２３８は、当該熟練度に応じた経路に基づいて、ユーザー端末１０が搭載された車両を目的地まで案内することとした。しかしながら、本発明は、これに限らない。例えば、熟練度に応じた経路をユーザーの操作により、変更するようにしてもよい。
【００７０】
図１２は、ユーザーの熟練度が「低」の場合に表示部１２に表示される経路案内画面ＳＣ１の一例を示す図である。
案内出力手段２３８からユーザー端末１０に経路情報が出力されると、ユーザー端末１０は、表示部１２に図１２に示すような経路案内画面ＳＣ１を表示する。この経路案内画面ＳＣ１には、現在位置マークＰ１、熟練度「低」に応じた経路Ｌ７、及びレベルＵＰ要求ボタンＢＴ１が表示されている。このレベルＵＰ要求ボタンＢＴ１は、ユーザーの現在の熟練度より高い熟練度（例えば、現在の熟練度が「低」であれば、熟練度「中」）の場合に探索される経路Ｌ８を表示させるボタンである。ユーザー操作によりレベルＵＰ要求ボタンＢＴ１が選択されると、ユーザー端末１０は、サーバー装置２０にレベルアップ要求を送信する。これにより、サーバー装置２０の経路探索手段２３７は、熟練度「中」に応じた目的地までの経路Ｌ８を探索する。そして、案内出力手段２３８は、上記経路Ｌ７とともに、経路Ｌ８を表示部１２の経路案内画面ＳＣ１に表示させる旨の経路情報をユーザー端末１０に出力する。
これによれば、ユーザーは、自らの運転技術の熟練度よりも一段階上の経路Ｌ８を認識できる。このため、ユーザーは、経路Ｌ８の走行が可能と判断すれば、経路Ｌ８を走行すればよく、未だ難しいと判断すれば、自らの熟練度「低」に応じた経路を走行すればよい。従って、ユーザーの運転技術の熟練度の向上に貢献できる。
【００７１】
なお、上記変形例１において、レベルＵＰ要求ボタンＢＴ１は、経路案内画面ＳＣ１に表示される例を説明した。しかしながら、本発明は、これに限らない。例えば、レベルＵＰ要求画面は、いずれのタイミングにおいて表示されるようにしてもよい。この場合、経路のみならず、案内情報の報知タイミングや、経路関連情報として表示される情報の種類が変更されるようにすればよい。これによれば、ユーザーは、１段階上の熟練度のユーザーに対して報知される案内情報、経路案内情報及び駐車場案内情報を認識できるので、現在の運転技術の熟練度が適しているのか否かを判断できる。例えば、この運転技術の熟練度を１段階ＵＰさせた上記各種情報が自らに適している場合には、入力操作部１３の操作により、運転技術の熟練度をＵＰさせるようにしてもよい。これによれば、ユーザーに適した各種情報を報知できる。
【００７２】
［変形例２］
上記実施形態では、ユーザーの運転技術の熟練度に応じた案内を報知する例を示したが、これに限定されない。
例えば、ユーザーの得手不得手のとなる道路環境情報がユーザー端末１０にて設定入力され、当該交通環境がサーバー装置２０に送信される構成としてもよい。道路環境情報としては、上述したように、道路、駐車場、天候、時間帯等を例示できる。例えば、不得意な道路としては「細道、交通量の多い道路、人通りの多い道路、山道」、不得意な駐車場として「縦列駐車スペース」、不得意な天候として「雪、濃霧」、不得意な時間帯として「深夜」等を入力することができる。この場合、経路探索手段２３７は、熟練度が「高」であっても、不得手の環境情報に一致する条件の道路がある場合は、熟練度が「中」である場合と同様の経路探索を実施してもよい。また、経路案内情報や天候情報としても、熟練度を落とした情報を案内してもよい。
また、このような、得手不得手の情報は、ユーザーにより手動入力されるものに限られず、例えば、サーバー装置２０が、ユーザー端末１０から実際に走行した運転経路や時間帯、その際の天候等を取得し、記憶部２２に蓄積する。そして、蓄積された運転履歴に基づいて、統計的にユーザーが好む（得意とする）道路環境情報等を判定してもよい。
【００７３】
さらに、上記実施形態では、ユーザー情報として、自宅や勤務先等の拠点やその他登録地点、等が含まれ、拠点や登録地点を中心とした活動圏を記憶してもよい。この場合、拠点を中心とした所定距離範囲内の活動圏か、活動圏外かに応じて、探索する経路や、報知させる案内情報や経路関連情報、天候情報を変化させてもよい。すなわち、旅行先等、初めて訪問する地域では、運転技術の熟練度が「高」であったとしても、道路事情に疎い可能性が高く、また、地区によって、他の車両の運転姿勢（例えば平均速度が高い、車間距離が短い、信号に対する出発及び停止のタイミング等）が異なる場合がある。従って、上記のような運転技術の熟練度に加え、探索する経路が、活動圏内か否かに応じて、活動圏内では、上記実施形態にて説明した熟練度に応じた経路案内処理を実施し、活動圏外では、熟練度のレベルを１つ落として、上記実施形態の経路案内処理を実施してもよい。
また、例えば活動圏から活動圏外に移動する場合や、活動圏外から活動圏内に移動する場合、経路の途中で活動圏や活動圏外の地域を挟む場合等において、活動圏内では、熟練度が高い場合の経路設定や各種情報の報知を行い、活動圏外では、熟練度を１段階落とした経路設定や各種情報の報知を行う処理をしてもよい。
【００７４】
なお、上記変形例では、活動圏外に対して熟練度を１段階下げる例であるが、活動圏内に対して熟練度を１段階上げて経路設定や各種情報の報知を行う処理を行ってもよい。この場合、熟練度が「低」や「中」のユーザーが、自分の活動圏内において、現在の熟練度よりも１段階高いレベルでの経路や情報の報知を受けることで、ユーザーの運転技術の熟練度の向上に貢献できる。また、活動圏内であるため、例えば土地勘がない地域で、現在の熟練度より高い熟練度の案内が報知される場合に比べて、安心して運転技術の向上に挑戦することができる。
【００７５】
［変形例３］
上記実施形態では、端末制御部１８の熟練度検出手段１８１は、センサー部により検出された加速度やユーザー端末の姿勢、現在位置の推移等に基づいて、ユーザーの走行技術の熟練度を検出することとした。しかしながら、本発明は、これに限らない。例えば、熟練度検出手段１８１は、端末通信部１４を介して当該ユーザー端末１０が搭載される車両の通信部から、走行記録データを取得し、当該走行記録データに基づいて熟練度を検出するようにしてもよい。
具体的に、車両から取得した走行記録データから、車両の走行速度、アクセル踏み量、ブレーキ踏み量、操舵速等の予め設定された基準に基づいて、ユーザーの熟練度を「高」、「中」、「低」の３段階に分類する。例えば、熟練度の低いユーザーは、熟練度の高いユーザーに比べて、ブレーキ踏み量が大きく、かつ、走行速度の変化が大きいことから、熟練度検出手段１８１は、ブレーキの踏み量及び走行速度の変化が大きいユーザーの熟練度を「低」に分類し、ブレーキの踏み量及び走行速度の変化が極めて小さいユーザーの熟練度を「高い」に分類し、これらの中間に相当するユーザーの熟練度を「中」に分類してもよい。また、熟練度の低いユーザーは、熟練度の高いユーザーに比べて、アクセルの踏み量が急激に増加する傾向、及び操舵速が高い傾向があることから、熟練度検出手段１８１は、アクセルの踏み量が急激に増加する傾向、及び操舵速が高い傾向があるユーザーの熟練度を「低」に分類し、アクセルの踏み量が微増傾向、及び操舵速が低い傾向があるユーザーの熟練度を「高」に分類し、これらの中間に位置するユーザーの熟練度を「中」に分類してもよい。
【００７６】
さらに、熟練度の検出は、上記車両の走行速度、アクセル踏み量、ブレーキ踏み量、操舵速に限らず、例えば、車両の燃費、タイヤの摩耗具合、走行時間、走行距離、走行時間帯、走行日数、走行曜日、その他どのような基準に基づいて検出されてもよい。
加えて、これら熟練度の検出は、車両に設けられた制御部により実行されてもよい。この場合、ユーザー端末１０の端末制御部１８は、車両から取得した熟練度（熟練度情報）をサーバー装置２０に送信するようにしてもよいし、当該車両から取得した熟練度と、上記実施形態のセンサー部１７により検出された加速度データに基づいて分類された熟練度と、をサーバー装置２０に送信し、サーバー装置２０によりいずれの熟練度に基づいて各種情報を報知するのかを決定するようにしてもよい。
このような場合であっても、ユーザーの運転技術の熟練度を適切に検出できるので、上記実施形態と同様の効果を奏することができる。
また、ユーザー端末１０の端末制御部１８が熟練度検出手段１８１として機能する例を示したが、サーバー装置２０の制御部２３を、熟練度検出手段として機能させてもよい。つまり、上述のように、ユーザー端末１０から、加速度やユーザー端末の姿勢、現在位置の推移、車両の走行速度、アクセル踏み量、ブレーキ踏み量、操舵速に限らず、例えば、車両の燃費、タイヤの摩耗具合、走行時間、走行距離、走行時間帯、走行日数、走行曜日等が送信される構成では、サーバー装置２０側にて、熟練度の検出を行うことができる。
【００７７】
［変形例４］
上記実施形態では、端末制御部１８の熟練度検出手段１８１は、センサー部にて検出された加速度やユーザー端末１０の姿勢、測位された位置等に基づいて、ユーザーの走行技術の熟練度を検出することとした。しかしながら、本発明は、これに限らない。例えば、熟練度検出手段１８１は、ユーザーに対して、熟練度の入力画面を表示部１２に表示させ、当該入力画面の操作により入力された熟練度をサーバー装置２０に送信するようにしてもよい。例えば、熟練度検出手段１８１は、単に、ユーザーの自己申告により熟練度のみを入力させるようにしてもよいし、アンケート形式により複数の質問に回答させ、当該回答結果に基づいて熟練度を決定するようにしてもよい。このようなアンケートの質問項目として、ユーザーの運転歴、免許書の種類、ゴールド免許か否か、ペーパードライバーであるか否か、運転頻度、運転時間等を例示できる。この場合、ユーザー端末１０は、センサー部１７を備えなくてもよい。
また、これらユーザーの入力による熟練度検出及びアンケート形式による熟練度検出は、上記実施形態の加速度データに基づく熟練度検出や上記変形例２の走行記録データに基づく熟練度検出とともに、実行されてもよい。この場合、ユーザーの熟練度をさらに適切に検出できる。
【００７８】
［変形例５］
上記実施形態では、案内情報報知地点の位置、すなわち、案内情報報知タイミングを熟練度により異ならせていることとした。しかしながら、本発明は、これに限らない。例えば、案内情報報知タイミングを熟練度に係わらず、同じ位置に設定するようにしてもよい。これによれば、熟練度が「高」のユーザーであっても、熟練度が「低」のユーザーと同じタイミングにて案内情報を認識できるので、ユーザー端末１０が搭載された車両を安全に運航できる。
【００７９】
［変形例６］
上記実施形態では、ステップＳ２８の処理において、案内出力手段２３８は、熟練度に係わらず一般交通情報を出力することとした。しかしながら、本発明は、これに限らない。例えば、熟練度が「高」のユーザーには、経路関連情報の報知頻度を低減するようにしてもよい。これによれば、熟練度が「高」のユーザーが経路関連情報の報知が煩わしいと感じている場合に、当該経路関連情報の報知頻度が低減されるので、ストレスなくユーザー端末１０を搭載した車両を運行できる。
【００８０】
［変形例７］
上記実施形態では、熟練度が「高」のユーザーには、天候情報を報知することなく経路関連情報を報知することとした。しかしながら、本発明は、これに限らない。例えば、熟練度が「高」のユーザーにも天候情報を報知するようにしてもよい。
また、この場合、目的地の天候が「大雪」、積雪量５ｃｍである場合に、ユーザーの熟練度に応じた天候情報を報知するようにしてもよい。例えば、熟練度「低」のユーザーに対しては、目的地の天候が悪いので、目的地に車両で向かうのは危険であることを示すメッセージを天候情報とともに報知し、熟練度「高」のユーザーに対しては、目的地の天候に合わせたタイヤの履き替え、もしくは、チェーンの取り付けを促すメッセージを天候情報とともに報知するようにしてもよい。また、熟練度「低」のユーザーに対しては、電車等により目的地に向かう乗換案内画面等を上記メッセージとともに、又は、上記メッセージに代えて表示させるようにしてもよい。
【００８１】
さらに、目的地の天候が好転する場合（通常のルートを走行する場合における予想到着時刻の天候が大雨で、当該大雨が１時間後にやむ場合）には、熟練度「低」のユーザーに対しては、目的地の天候を考慮し、１時間出発を遅らせることを促すメッセージを天候情報とともに報知し、熟練度「高」のユーザーに対しては、目的地の天候情報のみを報知してもよい。
加えて、経路探索手段２３７は、熟練度及び天候情報に基づいて、経路を探索するようにしてもよい。例えば、目的地の天候が好転する場合（通常のルートを走行する場合における予想到着時刻の天候が大雨で、当該大雨が１時間後にやむ場合）には、熟練度「低」のユーザーに対しては、目的地の天候を考慮し、降雨量が少ない経路で、かつ、目的地に到着する時間を１時間遅らせるような経路を探索するようにしてもよいし、熟練度「高」のユーザーに対しては、最短の経路を検索するようにしてもよい。
【００８２】
［変形例８］
上記実施形態では、天候取得手段２３４は、上記サーバーから目的地の天候情報を取得することとした。しかしながら、本発明は、これに限らない。例えば、天候取得手段２３４は、情報投稿サイトのサーバー等から目的地の天候情報を取得することとしてもよい。具体的に、天候取得手段２３４は、情報投稿サイトに投稿された情報から、目的地の地名（例えば、市町村名や目的地として設定された施設名称等）及び天候を表す文字（晴れ、曇り、雨、雷雨等）を検出し、当該目的地の天候を推測し、当該天候情報を取得するようにしてもよい。
【００８３】
［変形例９］
上記実施形態では、経路関連情報取得手段２３５は、情報投稿サイト等に投稿された情報等から経路を含む文字を検出し、当該文字が含まれる情報を経路関連情報として取得することとした。しかしながら、本発明は、これに限らない。例えば、経路毎に予め経路関連情報が記憶されたサーバーが設けられ、経路関連情報取得手段２３５は、当該サーバーと通信することにより、経路関連情報を取得するようにしてもよい。また、このような経路関連情報は、記憶部２２に記憶されていてもよい。
【００８４】
［変形例１０］
上記実施形態では、ユーザー端末１０が本発明の経路案内装置として機能するナビゲーションシステム１を例示した。しかしながら、本発明は、これに限らない。例えば、サーバー装置２０がユーザー端末１０と同様の機能を有し、当該サーバー装置２０が経路案内装置として機能することとしてもよい。この場合であっても、上記実施形態と同様の効果を奏することができる。
【符号の説明】
【００８５】
１…ナビゲーションシステム（経路案内システム）、１０…ユーザー端末（経路案内装置）、１１…測位部、１２…表示部（報知手段）、１３…入力操作部、１４…端末通信部、１５…音声出力部（報知手段）、１６…端末記憶部、１７…センサー部、１８…端末制御部、１８１…熟練度検出手段、１８２…入力情報取得手段、１８３…報知制御手段、２０…サーバー装置、２１…通信部、２２…記憶部、２３…制御部、２３１…目的地取得手段、２３２…現在位置取得手段、２３３…熟練度取得手段、２３４…天候取得手段、２３５…経路関連情報取得手段、２３６…駐車場情報取得手段、２３７…経路探索手段（探索手段）、２３８…案内出力手段、Ａｒ１，Ａｒ２…駐車スペース、Ｍ１…天候情報、Ｍ２…経路関連情報、Ｍ３，Ｍ４…案内情報。
【図１】
0006727868.tif 000002
【図２】
0006727868.tif 000003
【図３】
0006727868.tif 000004
【図４】
0006727868.tif 000005
【図５】
0006727868.tif 000006
【図６】
0006727868.tif 000007
【図７】
0006727868.tif 000008
【図８】
0006727868.tif 000009
【図９】
0006727868.tif 000010
【図１０】
0006727868.tif 000011
【図１１】
0006727868.tif 000012
【図１２】
0006727868.tif 000013